(57)【要約】【課題】コンピュータ・ネットワークをモニタし管理する改善された装置および方法を提供することを目的とする。【解決手段】一実施例において、コンピュータ・ネットワーク要素（１０１０）を共に結合することができるネットワーク・ハードウェア要素（１１００，３１００）は、ネットワーク診断メカニズム（２１４０）、およびディスプレイ（２１１０，３１１０，５１１０）を含む。ディスプレイは、ネットワーク診断メカニズムに電気的に結合され、またネットワーク情報および追加の情報を表示することができる。【選択図】図１
2008125053.tif 000002
【特許請求の範囲】
【請求項１】
コンピュータ・ネットワーク要素を共に結合するためのネットワーク・ハードウェア要素において、
ネットワーク診断メカニズムと、
ネットワーク診断メカニズムに電気的に結合され、
ネットワーク情報を表示し、かつ
追加情報を表示する、
ことのできる電子的なディスプレイと、
を含むことを特徴とするネットワーク・ハードウェア要素。
【請求項２】
前記ネットワーク・ハードウェア要素は、
ルータ、
ハブ、
スイッチ、
ワイヤレス・ネットワーク・アクセス・ポイント、および
ワイヤレス・ネットワーキング・カード、
で本質的に構成するグループから選択される、
ことを特徴とする請求項１記載のネットワーク・ハードウェア要素。
【請求項３】
前記ネットワーク情報は、
ネットワーク・レイアウト・マップ、
ネットワーク・セキュリティ・インディケータ、
サービス・セット識別子、
ゲストのサービス・セット識別子、
有線接続されたネットワークの速度、
ワイヤレス・ネットワークの速度、
ワイヤレス・チャネル、
ネットワーク・セキュリティ規格、
無権限のユーザ・アラーム、
無権限のユーザによる試行数を示すカウンタ、
実際のインターネット接続速度、
最大のインターネット接続速度、
ネットワークの利用時間、
ネットワークのトラフィック・タイプ、
ネットワークのトラヒック負荷、
インターネット・プロトコルのアドレス、
ファイアウォール・ステータス、および
ゲストのセキュリティ・パスワード、
で本質的に構成するグループから選択される、
ことを特徴とする先行する請求項のいずれかに記載のネットワーク・ハードウェア要素。
【請求項４】
前記追加情報は、
時間、
日付、
カレンダー、
天気予報、
ニュース・レポート、
株式相場、
スポーツ・スコア、
電子メールチッカ(ticker)、
インスタント・メッセンジャ・チッカ、
無線チャネル、
無線チャネル上で演じられる歌に関する情報、
メモリ・デバイス上の利用可能な格納スペース、
メモリ・デバイス上の使用された格納スペース、および
メモリ・デバイス上の格納スペースの合計、
で本質的に構成するグループから選択される、
ことを特徴とする先行する請求項のいずれかに記載のネットワーク・ハードウェア要素。
【請求項５】
スピーカをさらに含むネットワーク・ハードウェア要素であって、
前記追加情報は、
無線チャネル、および
前記無線チャネルからおよび前記スピーカ上で演じられる歌に関する情報、
で本質的に構成するグループから選択される、
ことを特徴とする先行する請求項のいずれかに記載のネットワーク・ハードウェア要素。
【請求項６】
メモリ・デバイスをさらに含むネットワーク・ハードウェア要素であって、
前記追加情報は、
メモリ・デバイス上の利用可能な格納スペース、
メモリ・デバイス上の使用された格納スペース、および
メモリ・デバイス上の格納スペースの合計、
で本質的に構成するグループから選択される、
ことを特徴とする請求項１、２、３、または４記載のネットワーク・ハードウェア要素。
【請求項７】
前記電子的なディスプレイは、ネットワーク・セットアップ・アドバイスを表示することができることを特徴とする先行する請求項のいずれかに記載のネットワーク・ハードウェア要素。
【請求項８】
前記電子的なディスプレイは、ネットワーク・トラブルシューティング・アドバイスを表示することができることを特徴とする先行する請求項のいずれかに記載のネットワーク・ハードウェア要素。
【請求項９】
コンピュータ・ネットワーク要素を共に結合するためのネットワーク・ハードウェア要素において、
ネットワーク診断メカニズムと、
前記ネットワーク診断メカニズムに電気的に結合され、
ネットワーク情報を表示し、かつ
ネットワーク・アドバイスを表示する、
ことのできる電子的なディスプレイと、
を含むことを特徴とするネットワーク・ハードウェア要素。
【請求項１０】
前記電子的なディスプレイ上に位置した消去可能なラベルと、
前記消去可能なラベル上に位置したネットワーク・セットアップ・アドバイスと、
をさらに含み、
前記ネットワーク・アドバイスは、追加のネットワーク・セットアップ・アドバイスを含む、
ことを特徴とする請求項９記載のネットワーク・ハードウェア要素。
【請求項１１】
前記ネットワーク・セットアップ・アドバイスは、ユーザが前記電子的なディスプレイから前記消去可能なラベルを取り除く前に、および、ユーザが前記追加のネットワーク・セットアップ・アドバイスに従う前に、前記ネットワーク・ハードウェア要素のユーザが従うように設計されることを特徴とする請求項１０記載のネットワーク・ハードウェア要素。
【請求項１２】
前記ネットワーク・アドバイスは、
ワイヤレス・ローカル・エリア・ネットワーク・ラジオのオンまたはオフ、
前記ワイヤレス・ローカル・エリア・ネットワーク・ラジオのパワー出力の調整、
前記ワイヤレス・ローカル・エリア・ネットワーク・ラジオのアンテナ構成の調整、
アプリケーションまたはクライアントによるサービス品質の設定、
前記ワイヤレス・ローカル・エリア・ネットワーク・ラジオに対するノイズおよび干渉の最小化、
１またはそれ以上のクライアントに1またはそれ以上のワイヤレス・チャネルの割り振り、
セキュリティ・パスワードの提供、
ウインドウズ・ラリー（Windows（登録商標） Rally）接続のセットアップ用ＰＩＮの提供、
ＷＰＳプッシュボタンに対する命令の提供、
１またはそれ以上の技術サポート電話番号の提供、
トラブルシューティング・ウィザードの提供、
ウインドウズ・コネクトナウ・サム・ドライブ（Windows(登録商標） ConnectNow thumb drive）方法の取り扱いの許可、および
マイクロソフト・サイドショウ（Microsoft SideShow）のサポート、
で本質的に構成するグループから選択される、
ことを特徴とする請求項９記載のネットワーク・ハードウェア要素。
【請求項１３】
前記ネットワーク・ハードウェア要素は、
ルータ、
ハブ、
スイッチ、
ワイヤレス・ネットワーク・アクセス・ポイント、および
ワイヤレス・ネットワーキング・カード、
で本質的に構成するグループから選択される、
ことを特徴とする請求項９、１０、１１、または１２記載のネットワーク・ハードウェア要素。
【請求項１４】
コンピュータ・ネットワーク要素を共に結合するためのネットワーク・ハードウェア要素上に情報を表示する方法において、前記方法は、
前記ネットワーク・ハードウェア要素上に、
ネットワーク情報、および
追加情報、
を表示する段階、
を含むことを特徴とする方法。
【請求項１５】
コンピュータ・ネットワーク要素を共に結合するためのネットワーク・ハードウェア要素上に情報を表示する方法において、前記方法は、
前記ネットワーク・ハードウェア要素上に、
ネットワーク情報、および
ネットワーク・アドバイス、
を表示する段階、
を含むことを特徴とする方法。
【請求項１６】
コンピュータ・ネットワーク要素が互いに通信することを可能にするネットワーク・ハードウェア要素において、
前記コンピュータ・ネットワーク要素に結合するための１またはそれ以上のネットワーク通信ポートと、
前記１またはそれ以上のネットワーク通信ポートに結合され、出力を生成するネットワーク診断メカニズムと、
前記出力に基づくネットワーク情報と、
前記出力によって導き出されたネットワーク・アドバイスと、
追加情報と、
を含むことを特徴とするネットワーク・ハードウェア要素。
【請求項１７】
前記ネットワーク情報、前記ネットワーク・アドバイス、および、前記追加情報を表示するために、前記ネットワーク診断メカニズムに電気的に結合されたＬＣＤをさらに含むことを特徴とする請求項１６記載のネットワーク・ハードウェア要素。
【請求項１８】
前記ネットワーク情報は、
ネットワーク・レイアウト・マップ、
ネットワーク・セキュリティ・インディケータ、
サービス・セット識別子、
ゲストのサービス・セット識別子、
有線接続されたネットワークの速度、
ワイヤレス・ネットワークの速度、
ネットワーク・セキュリティ規格、
無権限のユーザ・アラーム、
無権限のユーザによる試行数を示すカウンタ、
実際のインターネット接続速度、
最大のインターネット接続速度、
ネットワークの利用時間、
ネットワークのトラフィック・タイプ、
ネットワークのトラヒック負荷、
インターネット・プロトコルのアドレス、
ファイアウォール・ステータス、および
ゲストのセキュリティ・パスワード、
で本質的に構成するグループから選択され、
前記追加情報は、
時間、
日付、
カレンダー、
天気予報、
ニュース・レポート、
株式相場、
スポーツ・スコア、
電子メールチッカ(ticker)、
インスタント・メッセンジャ・チッカ、
無線チャネル、
無線チャネル上で演じられる歌に関する情報、
メモリ・デバイス上の利用可能な格納スペース、
メモリ・デバイス上の使用された格納スペース、および
メモリ・デバイス上の格納スペースの合計、
で本質的に構成するグループから選択され、
前記ネットワーク・アドバイスは、
ワイヤレス・ローカル・エリア・ネットワーク・ラジオのオンまたはオフ、
前記ワイヤレス・ローカル・エリア・ネットワーク・ラジオのパワー出力の調整、
前記ワイヤレス・ローカル・エリア・ネットワーク・ラジオのアンテナ構成の調整、
アプリケーションまたはクライアントによるサービス品質の設定、
前記ワイヤレス・ローカル・エリア・ネットワーク・ラジオに対するノイズおよび干渉の最小化、
１またはそれ以上のクライアントに1またはそれ以上のワイヤレス・チャネルの割り振り、
セキュリティ・パスワードの提供、
ウインドウズ・ラリー（Windows（登録商標） Rally）接続のセットアップ用ＰＩＮの提供、
ＷＰＳプッシュボタンに対する命令の提供、
１またはそれ以上の技術サポート電話番号の提供、
トラブルシューティング・ウィザードの提供、
ウインドウズ・コネクトナウ・サム・ドライブ（Windows(登録商標） ConnectNow thumb drive）方法の取り扱いの許可、および
マイクロソフト・サイドショウ（Microsoft SideShow）のサポート、
で本質的に構成するグループから選択される、
ことを特徴とする請求項１６または１７記載のネットワーク・ハードウェア要素。
【請求項１９】
コンピュータ・ネットワーク要素を共に結合するためのネットワーク・ハードウェア要素において、
ネットワーク診断メカニズムと、
前記ネットワーク診断メカニズムに電気的に結合され、セキュリティ・パスワードを表示することができる電子的なディスプレイと、
を含むことを特徴とするネットワーク・ハードウェア要素。
【請求項２０】
コンピュータ・ネットワーク要素を共に結合するためのネットワーク・ハードウェア要素において、
ネットワーク診断メカニズムと、
前記ネットワーク診断メカニズムに電気的に結合され、ネットワークの速度を表示することができる電子的なディスプレイと、
を含むことを特徴とするネットワーク・ハードウェア要素。
【発明の詳細な説明】
【関連出願のクロスリファレンス】
【０００１】
本願は、２００６年８月１７日に出願された米国特許出願番号第１１／５０６，３５１号、および２００７年１月５日に出願された米国特許出願番号第１１／６５０，０１９号に係る優先権の利益を主張する。
【技術分野】
【０００２】
本発明は、一般にコンピュータ・ネットワークに関し、さらに詳しくはコンピュータ・ネットワークのモニタおよび管理に関する。
【背景技術】
【０００３】
コンピュータ・ネットワークは、コンピュータ、プリンタ、モデム、および、その他同種の様々な要素を含む。コンピュータ・ネットワークは、また時には様々なコンピュータ・ネットワーク要素を互いに電気的に結合するためのワイヤレスおよび／または有線ルータのようなネットワーク・ハードウェア要素を含む。しかしながら、しばしば、これらのコンピュータ・ネットワークは、パフォーマンス上の問題を有している。このようなパフォーマンス上の問題に取り組むことを試みるコンピュータ・ネットワーク管理者または他のユーザは、しばしば、ネットワーク・ハードウェア要素上のディスプレイを通じて、および／または、コンピュータ上のユーザ・インターフェースを通じて、コンピュータ・システムに関する情報を得る。既存のユーザ・インターフェースは、それらが許容する対話の性質および量によって広く変化するが、それらがユーザに提供する診断情報および問題解決のアドバイスの点からどれも理想的ではない。さらに、ユーザ・インターフェースは、初心者であるユーザが理解し使用するには時として複雑であり、困難である。そこで、コンピュータ・ネットワークをモニタ（監視）し管理する改善された装置および方法が必要である。
【発明の開示】
【０００４】
本発明は、図面中に添付された図と共に、関連する以下の詳細な記述を読むことにより一層よく理解されるであろう。
【０００５】
実施例を単純化および明瞭化するために、図面は構造の一般的な方法を示し、また、周知の機能および技術の記述および詳細については、不必要に本発明を不明瞭にしないよう省略される。さらに、図中の要素は、必ずしも同一寸法で描かれていない。例えば、図中におけるいくつかの要素の寸法は、本発明の実施例について良好な理解を得るために、他の要素に比べて誇張される場合がある。異なる図中の同一の参照番号は、同一の要素を表示する。
【０００６】
本明細書および請求項において、用語「第１」、「第２」、「第３」、「第４」、およびこれらと同様の用語が、必要に応じて類似する要素間の識別のために使用される場合があるが、いずれも特別に連続する順序または時間的順序を説明するためのものではない。したがって、かかる用語は適切な状況の下で置き換えることが可能であり、ここに記述された本発明の実施例は、例えばここに図示され、または記述された以外の順序でも動作可能であると理解される。さらに、用語「含む」、「包含する」、「有する」、およびそれらのあらゆる変化形は、いずれも非排他的に包含することを意図しており、したがって、列挙された要素を含むプロセス、方法、物品、または装置等は、必ずしもそれらの要素に限定されるものではなく、そのようなプロセス、方法、物品または装置について明白に列挙されていない、または固有でない他の要素を含んでもよい。
【０００７】
本明細書および請求項において、用語「左」、「右」、「正面」、「背面」、「上」、「下」、「上側」、「下側」、およびこれらと同様の用語が必要に応じて用いられるが、必ずしも永久的な相対的位置について説明することを目的とするものではない。したがって、かかる用語は適切な状況下では置き換えることが可能であり、ここに記述された本発明の実施例は、例えばここに図示され、または記述された以外の方向にも動作可能であると理解される。ここで使用される用語「結合された」は、電気的、機械的、または他の方法により直接的または間接的に接続されていると定義される。
一実施例において、コンピュータ・ネットワーク要素を共に結合することができるネットワーク・ハードウェア要素は、ネットワーク診断メカニズムおよびディスプレイを含む。ディスプレイは、ネットワーク診断メカニズムに電気的に結合され、またネットワーク情報および追加情報を表示することができる。異なる実施例では、ディスプレイは、ネットワーク診断メカニズムに電気的に結合され、またネットワーク情報およびネットワーク・アドバイスを表示することができる。
【０００８】
いくつかの例において、ネットワーク・ハードウェア要素は、（ａ）ルータ、（ｂ）ハブ、（ｃ）スイッチ、（ｄ）ワイヤレス・ネットワーク・アクセス・ポイント、および（ｅ）ワイヤレス・ネットワーキング・カードで本質的に構成するグループから選択される。
【０００９】
様々な例において、電子的なディスプレイは、図像学的表示（iconographic）である。同じかまたは異なる例において、電子的なディスプレイは、ＬＣＤを含む。
【００１０】
多くの例において、ネットワーク情報は、（ａ）ネットワーク・レイアウト・マップ、（ｂ）ネットワーク・セキュリティ・インディケータ、（ｃ）サービス・セット識別子、（ｄ）ゲスト・サービス・セット識別子、（ｄ）有線接続されたネットワークの速度、（ｅ）ワイヤレス・ネットワークの速度、（ｆ）ワイヤレス・チャネル、（ｇ）ネットワーク・セキュリティ規格、（ｈ）無権限のユーザ・アラーム、（ｉ）無権限のユーザによる試行数を示すカウンタ、（ｊ）実際のインターネット接続速度、（ｋ）最大のインターネット接続速度、（ｌ）ネットワークの利用時間、（ｍ）ネットワークのトラフィック・タイプ、（ｎ）ネットワーク・トラヒック負荷、（ｏ）インターネット・プロトコルのアドレス、（ｐ）ファイアウォール・ステータス、および（ｑ）ゲストのセキュリティ・パスワードで本質的に構成するグループから選択される。
【００１１】
いくつかの例において、ネットワーク情報は、（ａ）サービス・セット識別子、および（ｂ）ゲストのサービス・セット識別子で本質的に構成するグループから選択される。
【００１２】
多くの例において、ネットワーク情報は、（ａ）有線接続されたネットワークの速度、（ｂ）ワイヤレス・ネットワークの速度、および（ｃ）ワイヤレス・チャネルで本質的に構成するグループから選択される。
【００１３】
様々な例において、ネットワーク情報は、（ａ）無権限のユーザ・アラーム、および（ｂ）多くの無権限による試行数を示すカウンタで本質的に構成するグループから選択される。
【００１４】
いくつかの例において、ネットワーク情報は、（ａ）実際のインターネット接続速度、および（ｂ）最大のインターネット接続速度で本質的に構成するグループから選択される。
【００１５】
多数の例において、ネットワーク情報は、（ａ）ネットワークの利用時間、（ｂ）ネットワークのトラフィック・タイプ、および（ｃ）ネットワーク・トラヒック負荷で本質的に構成するグループから選択される。
【００１６】
様々な例において、ネットワーク情報は、（ａ）インターネット・プロトコルのアドレス、（ｂ）ファイアウォール・ステータス、および（ｃ）ゲストのセキュリティ・パスワードで本質的に構成するグループから選択される。
【００１７】
いくつかの例において、追加情報は、（ａ）時間、（ｂ）日付、（ｃ）カレンダー、（ｄ）天気予報、（ｅ）ニュース・レポート、（ｆ）株式相場、（ｇ）スポーツ・スコア、（ｈ）電子メールチッカ(ticker)、（ｉ）インスタント・メッセンジャ・チッカ、（ｊ）無線チャネル、（ｋ）無線チャネル上で演じられる歌に関する情報、（ｌ）メモリ・デバイス上の利用可能な格納スペース、（ｍ）メモリ・デバイス上の使用された格納スペース、および（ｎ）メモリ・デバイス上の格納スペースの合計で本質的に構成するグループから選択される。
【００１８】
他の例において、追加情報は、（ａ）時間、（ｂ）日付、および（ｃ）カレンダーで本質的に構成するグループから選択される。さらに次の例では、追加情報は、（ａ）天気予報、（ｂ）ニュース・レポート、（ｃ）株式相場、および（ｄ）スポーツ・スコアで本質的に構成するグループから選択される。さらに別の例では、追加情報は、（ａ）電子メールチッカ、および（ｂ）インスタント・メッセンジャ・チッカで本質的に構成するグループから選択される。
【００１９】
様々な例において、ネットワーク・ハードウェア要素は、さらにスピーカを含めることができる。この例において、追加情報は、（ａ）無線チャネル、および（ｂ）無線チャネルを介しておよびスピーカで演じられる歌に関する情報で本質的に構成するグループから選択することができる。
【００２０】
いくつかの例において、ネットワーク・ハードウェア要素は、さらにメモリ・デバイスを含めることができる。この例において、追加情報は、（ａ）メモリ・デバイス上の利用可能な格納スペース、（ｂ）メモリ・デバイス上の使用された格納スペース、および（ｃ）メモリ・デバイス上の格納スペースの合計で本質的に構成するグループから選択することができる。
【００２１】
様々な例において、電子的なディスプレイは、ネットワーク・セットアップ・アドバイスを表示することができる。同じかまたは異なる例において、電子的なディスプレイは、ネットワーク・トラブルシューティング（問題解決）アドバイスを表示することができる。
【００２２】
別の実施例において、コンピュータ・ネットワーク要素を共に結合するネットワーク・ハードウェア要素は、（ａ）ネットワーク診断メカニズム、および（ｂ）ネットワーク診断メカニズムに電気的に結合され、（１）ネットワーク情報の表示および（２）ネットワーク・アドバイスを表示することができる電子的なディスプレイを含む。
【００２３】
いくつかの例において、ネットワーク・ハードウェア要素は、（ａ）電子的なディスプレイ上に位置する消去可能なラベル、および（ｂ）消去可能なラベルに置かれたネットワーク・セットアップ・アドバイスをさらに含めることができる。この例において、ネットワーク・アドバイスは、追加のネットワーク・セットアップ・アドバイスを含めることができる。同じかまたは異なる例において、ネットワーク・セットアップ・アドバイスは、ユーザが電子的なディスプレイから消去可能なラベルを取り除く前に、およびユーザが追加のネットワーク・セットアップ・アドバイスに従う前に、ネットワーク・ハードウェア要素のユーザが従うように設計されている。
【００２４】
様々な例において、ネットワーク・アドバイスは、（ａ）ワイヤレス・ローカル・エリア・ネットワーク・ラジオのオンまたはオフ、（ｂ）ワイヤレス・ローカル・エリア・ネットワーク・ラジオのパワー出力の調整、（ｃ）ワイヤレス・ローカル・エリア・ネットワーク・ラジオのアンテナ構成の調整、（ｄ）アプリケーションまたはクライアントによるサービス品質の設定、（ｅ）ワイヤレス・ローカル・エリア・ネットワーク・ラジオに対するノイズおよび干渉の最小化、（ｆ）１またはそれ以上のクライアントに1またはそれ以上のワイヤレス・チャネルの割り振り、（ｇ）セキュリティ・パスワードの提供、（ｈ）ウインドウズ・ラリー（Windows (登録商標）Rally）のセットアップ用ＰＩＮの提供、（ｉ）ＷＰＳプッシュボタンに対する命令の提供、（ｊ）１またはそれ以上の技術サポート電話番号の提供、（ｋ）トラブルシューティング・ウィザードの提供、（ｌ）ウインドウズ・コネクトナウ・サム・ドライブ（Windows (登録商標）ConnectNow thumb drive）方法の取り扱いの許可、および（ｍ）マイクロソフト・サイドショウ（SideShow：画面上に現れる動画スクリーン）のサポート、で本質的に構成するグループから選択される。
【００２５】
多数の例において、ネットワーク・ハードウェア要素は、１またはそれ以上のチャネルを有するワイヤレス・ローカル・エリア・ネットワーク・ラジオをさらに含めることができる。この例において、ネットワーク・アドバイスは、（ａ）ワイヤレス・ローカル・エリア・ネットワーク・ラジオのオンまたはオフ、（ｂ）ワイヤレス・ローカル・エリア・ネットワーク・ラジオのパワー出力の調整、（ｃ）ワイヤレス・ローカル・エリア・ネットワーク・ラジオのアンテナ構成の調整、（ｄ）ワイヤレス・ローカル・エリア・ネットワーク・ラジオに対するノイズおよび干渉の最小化、および（ｅ）1またはそれ以上のチャネルの少なくとも1つを1またはそれ以上のクライアントに割り振ること、で本質的に構成するグループから選択される。
【００２６】
いくつかの例において、ネットワーク・アドバイスは、（ａ）アプリケーションまたはクライアントによるサービス品質の設定、（ｂ）セキュリティ・パスワード、（ｃ）ウインドウズ・ラリー（Windows(登録商標） Rally）のセットアップ用ＰＩＮの提供、（ｄ）ＷＰＳプッシュボタンに対する命令の提供、（ｅ）ウインドウズ・コネクトナウ・サム・ドライブ（Windows(登録商標) ConnectNow thumb drive）方法の取り扱いの許可、（ｆ）マイクロソフト・サイドショウ（SideShow）のサポートで本質的に構成するグループから選択される。
【００２７】
異なる例において、ネットワーク・アドバイスは、（ａ）１またはそれ以上の技術サポート電話番号、および（ｂ）トラブルシューティング・ウィザードで本質的に構成するグループから選択される。
【００２８】
様々な例において、ネットワーク・ハードウェア要素は、（ａ）ルータ、（ｂ）ハブ、（ｃ）スイッチ、（ｄ）ワイヤレス・ネットワーク・アクセス・ポイント、および（ｅ）ワイヤレス・ネットワーキング・カードで本質的に構成するグループから選択される。
【００２９】
多くの例において、電子的なディスプレイは、図像学的表示を行う。同じかまたは異なる例において、電子的なディスプレイはＬＣＤを含む。
【００３０】
さらに実施例では、コンピュータ・ネットワーク要素を共に結合するネットワーク・ハードウェア要素上に情報を表示する方法を開示する。
本方法は、ネットワーク・ハードウェア要素上に、（１）ネットワーク情報、
および（２）追加情報を表示することを含めることができる。
【００３１】
さらに別の実施例では、コンピュータ・ネットワーク要素を共に結合するネットワーク・ハードウェア要素上に情報を表示する方法を開示する。本方法は、ネットワーク・ハードウェア要素上に、（１）ネットワーク情報、および（２）ネットワーク・アドバイスを表示することを含む。
【００３２】
さらなる実施例において、コンピュータ・ネットワーク要素が互いと通信することを可能にするネットワーク・ハードウェア要素は、（ａ）コンピュータ・ネットワーク要素に結合する１またはそれ以上のネットワーク通信ポート、（ｂ）１またはそれ以上のネットワーク通信ポートに結合され、出力を生成するネットワーク診断メカニズム、（ｃ）その出力に基づくネットワーク情報、（ｄ）その出力によって導き出（トリガ）されるネットワーク・アドバイス、および（ｅ）追加情報、を含む。いくつかの例において、追加情報は、その出力とは別の情報に基づく。
【００３３】
様々な例において、ネットワーク・ハードウェア要素は、さらにネットワーク診断メカニズムに電気的に結合され、ネットワーク情報、ネットワーク・アドバイス、および追加情報を表示するためのＬＣＤを含めることができる。
【００３４】
多くの例において、ネットワーク・ハードウェア要素は、（ａ）ルータ、（ｂ）ハブ、（ｃ）スイッチ、（ｄ）ワイヤレス・ネットワーク・アクセス・ポイント、および（ｅ）ワイヤレス・ネットワーキング・カードで本質的に構成するグループから選択される。
【００３５】
多数の例において、ネットワーク・ハードウェア要素は、さらにネットワーク診断メカニズムに電気的に結合され、ネットワーク情報、ネットワーク・アドバイス、および追加情報を表示することができる図像学的な電子的ディスプレイを含むことができる。
【００３６】
様々な実施例において、ネットワーク情報は、（ａ）ネットワーク・レイアウト・マップ、（ｂ）ネットワーク・セキュリティ・インディケータ、（ｃ）サービス・セット識別子、（ｄ）ゲストのサービス・セット識別子、（ｅ）有線接続されたネットワークの速度、（ｆ）ワイヤレス・ネットワークの速度、（ｇ）ネットワーク・セキュリティ規格、（ｈ）無権限のユーザ・アラーム、（ｉ）無権限のユーザによる試行数を示すカウンタ、（ｊ）実際のインターネット接続速度、（ｋ）最大のインターネット接続速度、（ｌ）ネットワークの利用時間、（ｍ）ネットワークのトラフィック・タイプ、（ｎ）ネットワークのトラヒック負荷、（ｏ）インターネット・プロトコルのアドレス、（ｐ）ファイアウォール・ステータス、および（ｑ）ゲストのセキュリティ・パスワード、で本質的に構成するグループから選択される。同じかまたは異なる例において、追加情報は、（ａ）時間、（ｂ）日付、（ｃ）カレンダー、（ｄ）天気予報、（ｅ）ニュース・レポート、（ｆ）株式相場、（ｇ）スポーツ・スコア、（ｈ）電子メールチッカ、（ｉ）インスタント・メッセンジャ・チッカ、（ｊ）無線チャネル、（ｋ）無線チャネル上で演じられる歌に関する情報、（ｌ）メモリ・デバイス上の利用可能な格納スペース、（ｍ）メモリ・デバイス上の使用された格納スペース、および（ｎ）メモリ・デバイス上の格納スペースの合計で本質的に構成するグループから選択される。ネットワーク・アドバイスは、（ａ）ワイヤレス・ローカル・エリア・ネットワーク・ラジオのオンまたはオフ、（ｂ）ワイヤレス・ローカル・エリア・ネットワーク・ラジオのパワー出力の調整、（ｃ）ワイヤレス・ローカル・エリア・ネットワーク・ラジオのアンテナ構成の調整、（ｄ）アプリケーションまたはクライアントによるサービス品質の設定、（ｅ）ワイヤレス・ローカル・エリア・ネットワーク・ラジオに対するノイズおよび干渉の最小化、（ｆ）１またはそれ以上のクライアントに1またはそれ以上のワイヤレス・チャネルの割り振り、（ｇ）セキュリティ・パスワードの提供、（ｈ）ウインドウズ・ラリー（Windows(登録商標) Rally）のセットアップ用ＰＩＮの提供、（ｉ）ＷＰＳプッシュボタンに対する命令の提供、（ｊ）１またはそれ以上の技術サポート電話番号の提供、（ｋ）トラブルシューティング・ウィザードの提供、（ｌ）ウインドウズ・コネクトナウ・サム・ドライブ（Windows(登録商標）ConnectNow thumb drive）方法の取り扱いの許可、および（ｍ）マイクロソフト・サイドショウ（SideShow）のサポート、で本質的に構成するグループから選ぶことができる。
【００３７】
追加の実施例では、コンピュータ・ネットワーク要素を共に結合するネットワーク・ハードウェア要素は、（ａ）ネットワーク診断メカニズム、および（ｂ）ネットワーク診断メカニズムに電気的に結合され、セキュリティ・パスワードを表示することができる電子的なディスプレイを含めることができる。
【００３８】
いくつかの実施例において、セキュリティ・パスワードは、ネットワーク・ハードウェア要素にログオンするためにコンピュータ・ネットワーク要素の最初の要素を許可する。
【００３９】
様々な実施例において、電子的なディスプレイは、セキュリティ・パスワードと異なる第２のセキュリティ・パスワードを表示することができる。さらに、電子的なディスプレイは、最初と第２のセキュリティ・パスワードを同時に表示することができる。
【００４０】
多くの実施例において、セキュリティ・パスワードは、セキュリティ・パスワードは、ネットワーク・ハードウェア要素にログオンするためにコンピュータ・ネットワーク要素の最初の要素を許可し、また、第２のセキュリティ・パスワードは、ネットワーク・ハードウェア要素にログオンするためにコンピュータ・ネットワーク要素の第２の要素を許可する。
【００４１】
さらなる実施例において、コンピュータ・ネットワーク要素を共に結合するネットワーク・ハードウェア要素は、（ａ）ネットワーク診断メカニズム、および（ｂ）ネットワーク診断メカニズムに電気的に結合され、ネットワークの速度を表示することができる電子的なディスプレイを含めることができる。
【００４２】
いくつかの実施例において、ネットワークの速度は、アナログ速度計として表示されてもよい。他の実施例において、ネットワークの速度は、デジタル数字として表示することもできる。
【００４３】
多くの例において、ネットワークの速度は、実際のネットワークの速度を含む。同じかまたは異なる例において、ネットワークの速度は最大のネットワークの速度を含む。ネットワークの速度は、過去のネットワークの速度を含むことができる。
【００４４】
さて、図面を参照して、図１は、コンピュータ・ネットワーク１０００を示す。コンピュータ・ネットワーク１０００は、コンピュータ・ネットワーク要素１０１０およびネットワーク・ハードウェア要素１１００を含む。ネットワーク・ハードウェア要素１１００は、コンピュータ・ネットワーク要素１０１０をともに結合し、以下より詳細に説明されるように、コンピュータ・ネットワーク１０００のネットワーク・レイアウト・マップを表示することができる。ネットワーク・ハードウェア要素１１００は、例えば、ルータ、ネットワーク・ハブまたはユニバーサル・シリアル・バスのハブのようなハブ、スイッチ、ワイヤレス・ネットワーク・アクセス・ポイント、ワイヤレス・ネットワワーキング・カードまたはコンピュータ・ネットワーク要素１０１０を結合し、かつコンピュータ・ネットワーク要素１０１０間の通信信号を転送するために使用される他の装置を表わすことができる。ネットワーク・ハードウェア要素１１００は、コンピュータではなく、ユーザがそれに機械式キーボードあるいはマウスを直接接続ようには設計されていない。
【００４５】
例として、コンピュータ・ネットワーク要素１０１０は、少なくとも１つのモデム１５００、有線接続されたネットワーク・ハードウェア要素１１００を経由して接続された１またはそれ以上の有線接続されたコンピュータ１３００、ワイヤレス接続でネットワーク・ハードウェア要素１１００に接続された１またはそれ以上のワイヤレス・コンピュータ１２００、１またはそれ以上のプリンタ１４００、および、インターネット１６００を含む。モデム１５００は、ネットワーク・ハードウェア要素１１００をインターネット１６００に結合する。コンピュータ・ネットワーク要素１０１０の各々は、ネットワーク・ハードウェア要素１１００のクライアントと称される。
【００４６】
コンピュータ・ネットワーク要素１０１０の各々は、ネットワーク・ハードウェア要素１１００の端子１１２０を経由してネットワーク・ハードウェア要素１１００に有線またはワイヤレスで結合される。端子１１２０は、ユニバーサル・シリアル・バス（ＵＳＢ）ポートのような機械的な端子、ＲＪ−１１およびＲＪ−１４タイプのような電話ジャック、ＲＪ−４５のようなイーサネット(登録商標）・ジャック、またはコンピュータ・ネットワーク要素１０１０を結合するための他の適切な接続メカニズムである。端子１１２０は、さらにＩＥＥＥ８０２．１１のようなワイヤレス通信標準規格に準拠する信号を送信および受信する１またはそれ以上のアンテナのようなワイヤレス端子であってもよい。ネットワーク・ハードウェア要素１１００がルータであるとき、端子１１２０は、ルータ端子と呼ぶこともできる。プリンタ１４００およびモデム１５００はネットワーク・ハードウェア要素１１００に有線接続されているように図１では示されているが、当業者は、プリンタ１４００およびモデム１５００のいずれかまたは両方がワイヤレス接続によってネットワーク・ハードウェア要素１１００に結合されてもよいことを理解するであろう。
【００４７】
図２は、ネットワーク・ハードウェア要素１１００を示す。ネットワーク・ハードウェア要素１１００が有線接続の装置、ワイヤレス装置または両方かどうかにかかわらず、ネットワーク・ハードウェア要素１１００は、１またはそれ以上のトランシーバ２１３０を含む。トランシーバ２１３０は、ネットワーク・ハードウェア要素１１００に結合されたコンピュータ・ネットワーク要素１０１０（図１）のいずれかの間で通信信号を送信し受信することができる。
【００４８】
ネットワーク・ハードウェア要素１１００は、さらにネットワーク診断メカニズム２１４０を含み、それはコンピュータ・ネットワーク要素１０１０（図１）の各々をマップするためにトランシーバ２１３０をモニタすることができ、またコンピュータ・ネットワーク要素１０１０の各々の接続ステータスを決定することができる。いくつかの実施例では、ネットワーク診断メカニズム２１４０は、ネットワーク・マッピング・ルーチンと称されることがあり、また接続ステータスは、通信ステータスと称されることもある。ネットワーク・マッピング・ルーチン／ネットワーク診断メカニズム２１４０は、ソフトウェア、ファームウェアまたはハードウェア、またはこれらのアプローチの組み合せによってネットワーク・ハードウェア要素１１００のために実行されてもよい。
【００４９】
さらに、ネットワーク・ハードウェア要素１１００は、ネットワーク・レイアウト・マップ２１１１を表示することができる。いくつかの実施例では、ネットワーク・レイアウト・マップ２１１１は、ネットワーク配列の表示と呼ぶことができる。ネットワーク・ハードウェア要素１１００は、さらにディスプレイ２１１０を含み、それはネットワーク診断メカニズム２１４０と通信することができ、さらにネットワーク・レイアウト・マップ２１１１を表示することができる。一実施例において、ディスプレイ２１１０は、液晶ディスプレイ（ＬＣＤ）を含む。同じかまたは異なる実施例では、ディスプレイ２１１０は、アイコンを通じてコンピュータ・ネットワーク要素１０１０（図１）の表示２１１２を表す図像学的表示である。同じかまたは異なる実施例において、ディスプレイ２１１０はさらに、１またはそれ以上の発光ダイオード（ＬＥＤ）を含むＬＥＤのセットを含み、そのＬＥＤのセットはコンピュータ・ネットワーク要素１０１０の表示２１１２に対応する。ネットワーク診断メカニズム２１４０と通信している間、ディスプレイ２１１０は、例えば、コンピュータ・ネットワーク要素１０１０のどれが存在するかに関して、またコンピュータ・ネットワーク要素１０１０の各々の接続ステータスに関しての情報にアクセスすることができる。その後、ディスプレイ２１１０は、ネットワーク診断メカニズム２１４０が収集した情報に基づいて、ネットワーク・ハードウェア要素１１００上にネットワーク・レイアウト・マップ２１１１を表示することができる。
【００５０】
ディスプレイ２１１０上のネットワーク・レイアウト・マップ２１１１は、コンピュータ・ネットワーク要素１０１０（図１）の表示２１１２を含むと共に、コンピュータ・ネットワーク要素１０１０（図１）のための接続ステータスを示す。ネットワーク・レイアウト・マップ２１１１は、表示２１１２を通してコンピュータ・ネットワーク１０００の構成に関してユーザに情報を伝えるために配置される。
【００５１】
一実施例において、表示２１１２の各々は、コンピュータ・ネットワーク１０００中のネットワーク・ハードウェア要素１１００に結合されたコンピュータ・ネットワーク要素１０１０の別の１つを表わすことができる。同じかまたは異なる実施例において、表示２１１２の１またはそれ以上は、以下より詳細に説明されるように、コンピュータ・ネットワーク要素１０１０と同様のもののセットまたはグループを表わすことができる。
【００５２】
表示２１１２は、さらにコンピュータ・ネットワーク要素１１００とネットワーク・ハードウェア要素１１００との間の相互接続を表わすことができる。コンピュータ・ネットワーク要素１０１０の各々に対する接続ステータスを、対応する表示２１１２の１つを点滅させ、および／または、色を変更させ、あるいはディスプレイ２１１０を対応する表示２１１２の１つに指し示すように、ディスプレイ２１１０を通じて示すことができる。一実施例において、接続ステータスは、特定のコンピュータ・ネットワーク要素１０１０に対応する１またはそれ以上のＬＥＤセットを通して示すことができる。
【００５３】
一実施例において、ディスプレイ２１１０は、さらにネットワーク情報のセット２１１３を表示することができ、ユーザにコンピュータ・ネットワーク１０００の接続性、セキュリティ、および速度のような情報を提供することができる。いくつかの実施例では、ネットワーク情報のセット２１１３は、ネットワーク情報リストと称することができる。
【００５４】
図３は、ネットワーク・ハードウェア要素３１００を示し、それは、図２のネットワーク・ハードウェア要素１１００とは別の実施例である。ネットワーク・ハードウェア要素３１００は、ディスプレイ３１１０を含む。一実施例において、ディスプレイ３１１０は、ネットワーク・ハードウェア要素１１００上のディスプレイ２１１０と同じタスクを実行することができるが、さらに、ネットワーク・トラブルシューティング・アドバイス３１１４を表示することができる。ネットワーク・トラブルシューティング・アドバイス３１１４は、例えば、ネットワーク・ハードウェア要素３１００を通して結合されたコンピュータ・ネットワーク要素１０１０の接続ステータスをトラブルシューティングしている間に、ユーザをガイドしユーザと対話するために示される。
【００５５】
同じかまたは異なる実施例において、ディスプレイ３１１０は、ネットワーク・ハードウェア要素１１００上のディスプレイ２１１０と同じタスクを実行することができるが、さらに、ネットワーク・セットアップ・アドバイス３１１５を表示することができる。ネットワーク・セットアップ・アドバイス３１１５は、例えば、異なるコンピュータ・ネットワーク要素１０１０をネットワーク・ハードウェア要素３１１０に結合することを通してユーザをガイドすることにより、コンピュータ・ネットワーク１０００のセットアップ中のユーザと相互に対話するために示される。
【００５６】
ネットワーク・ハードウェア要素３１００は、またディスプレイ３１１０上に位置するラベルを含めることができる。このラベルは、ネットワーク・セットアップ・アドバイスを含み、ユーザがラベル上のアドバイスに従った後、ディスプレイから消去することができる。例として、ラベル上のネットワーク・セットアップ・アドバイスは、次のステップ、すなわち（１）スタンドをルータに取り付け、（２）電気コードをルータおよび壁の電気アウトレットに差込み、（３）電気コードを差込んだ後、ルータの電源を入れ、そして（４）ルータをオンにした後、ルータ上のラベルをディスプレイから消去する。ラベル上のステップに従った後、ユーザは、ディスプレイ３１１０上に表示された追加のネットワーク・セットアップ・アドバイスを見るであろう。追加のネットワーク・セットアップ・アドバイスは、ウェルカム・スクリーン（設定画面）、残存するネットワーク・セットアップ・アドバイス、ネットワークに関する質問等のための言語を選択するためのメニューを含む。従って、一実施例において、ラベル上のネットワーク・セットアップ・アドバイスは、ユーザがディスプレイ３１１０からラベルを取り除く前に、またユーザがディスプレイ３１１０上に表示された追加のネットワーク・セットアップ・アドバイスに従う前に、ネットワーク・ハードウェア要素３１００のユーザが従うように設計される。
【００５７】
いくつかの実施例では、ネットワーク・トラブルシューティング・アドバイス３１１４およびネットワーク・セットアップ・アドバイス３１１５に関するユーザの入力は、ユーザ・インターフェース３１３０を経由して収集される。ユーザ・インターフェース３１３０は、ネットワーク・ハードウェア要素３１００上で実行され、またはネットワーク・ハードウェア要素３１００に結合されたコンピュータ・ネットワーク要素１０１０の１つを通って外部的に実行することができる。
【００５８】
ネットワーク・ハードウェア要素３１００は、アドバイス選択メカニズム３１２０を通してディスプレイ３１１０のためにネットワーク・トラブルシューティング・アドバイス３１１４およびネットワーク・セットアップ・アドバイス３１１５を選択することができる。アドバイス選択メカニズム３１２０は、ソフトウェア、ファームウェアまたはハードウェアを通して、またはこれらのアプローチの組み合せを通して、ネットワーク・ハードウェア要素３１００で、またはネットワーク・ハードウェア要素３１００に結合されたコンピュータ・ネットワーク要素１０１０の１つによって外部的に、実行することができる。同じかまたは異なる実施例において、アドバイス選択メカニズム３１２０は、ネットワーク診断メカニズム２１４０の一部となり得る。ネットワーク・ハードウェア要素３１００は、ユーザとの対話に基づいて、あるいはネットワーク診断メカニズム２１４０を介して収集されたコンピュータ・ネットワーク情報に基づいて、アドバイス選択メカニズム３１２０によって適切なネットワーク・トラブルシューティング・アドバイス３１１４またはネットワーク・セットアップ・アドバイス３１１５を選択するために形成される。
【００５９】
同じかまたは異なる実施例では、ネットワーク・ハードウェア要素３１００は、ディスプレイ３１１０上に表示されたネットワーク・トラブルシューティング・アドバイス３１１４、および／または、ネットワーク・セットアップ・アドバイス３１１５に応答するユーザからの入力を解釈することができ、追加のネットワーク・トラブルシューティング・アドバイス３１１６、および／または、ネットワーク・セットアップ・アドバイス３１１７をディスプレイ３１１０に表示させる。異なる実施例において、ディスプレイ３１１０は、コンピュータ・ネットワーク要素１０１０（図１）の１またはそれ以上の接続ステータスの変化を識別するネットワーク診断メカニズム２１４０に応答して、追加のネットワーク・トラブルシューティング・アドバイス３１１６、および／または、ネットワーク・セットアップ・アドバイス３１１７を表示する。
【００６０】
同じかまたは異なる実施例において、ネットワーク・ハードウェア要素３１００は、さらにコンピュータ・ネットワーク要素１０１０のどの表示２１１２がネットワーク・トラブルシューティング・アドバイス３１１４またはネットワーク・セットアップ・アドバイス３１１５に対応するかをディスプレイ３１１０上に示すことができる。この指示は、対応する表示２１１２を点滅させるかまたは色を変更させることにより、またはディスプレイ３１１０を対応する表示２１１２を指し示すかあるいは図示することによって行われる。
【００６１】
ネットワーク・セットアップおよび/またはトラブルシューティング・アドバイスは、例えば、ネットワーク・ハードウェア要素３１００中のワイヤレス・ローカル・エリア・ネットワーク(「ＷＬＡＮ」)ラジオをオンまたはオフすること、ＷＬＡＮラジオのパワー出力をトグルし、またはそうでなければ修正または調整すること、ネットワーク・ハードウェア要素のアンテナ構成を調整すること、アンテナに対するノイズおよび干渉を最小限にすること、および/または、１またはそれ以上のクライアントに１またはそれ以上のワイヤレス・チャンネルの少なくとも1つを割り当てること、のような追加のネットワーク・アドバイスをさらに含めることができる。
【００６２】
例として、ＷＬＡＮラジオは、ネットワーク・ハードウェア要素３１００上の手動スイッチを使用することによって、あるいはディスプレイ３１１０上のタッチ・スクリーン・スイッチを使用することによって、オンまたはオフすることができる。この実施例では、ネットワーク・ハードウェア要素３１００は、歌を再生するためにＷＬＡＮラジオおよびスピーカを含めることができる。スピーカは、要素３１００に組み入れてもよく、あるいは、ワイヤレス・スピーカであってもよい。別の実施例では、ネットワーク・ハードウェア要素３１００は、ＷＬＡＮラジオおよびワイヤレス・ヘッドホーンを含めることができるが、内蔵スピーカはない。ディスプレイ３１１０は、さらにユーザがＷＬＡＮワイヤレス・チャネルを選択することを可能にする。ネットワーク・ハードウェア要素３１００が有線およびワイヤレスのルータである実施例では、ユーザは、ＷＬＡＮラジオをオフにし、有線接続のルータとしてネットワーク・ハードウェア要素３１００を使用し続けることができる。
【００６３】
更に、ネットワーク・セットアップおよび/またはトラブルシューティング・アドバイスは、１またはそれ以上のアンテナ構成をワイヤレス・ネットワークの性能を最適化または少なくとも改善するために推奨することができ、また、ユーザは、推奨されたアンテナ構成を実行するために選択することができる。アンテナ構成は、コンピュータ・ネットワーク要素１０１０(図1)の場所に関連して、ネットワーク・ハードウェア要素３１００の位置に基づく。例として、ネットワーク・ハードウェア要素３１００がアパート内で使用される場合、アンテナ構成は、アパート建物中の隣人がそのネットワークの使用を妨げ、および、ワイヤレス・ネットワークと干渉することを避けるために修正することができる。ネットワーク・ハードウェア要素３１００が２，３あるいはそれ以上の物理的に調整可能なアンテナを含む実施例では、このアドバイスは、選択肢を提供するか、あるいはそうでなければ、ネットワーク・ハードウェア要素３１００のワイヤレス性能を最適化するために物理的なアンテナ構成を推奨することができる。同じかあるいは異なる実施例では、このアドバイスは、アンテナに対する電子的な設定を調整する方法に関する推薦を含み、メニューまたはパネルによって、ユーザがその調整を行うことを可能にする。
【００６４】
さらに、そのアドバイスは、各ワイヤレス・チャンネルあるいはバンドが単一のクライアントに割り当てられること、あるいは特定のユーザに選択されたチャンネルあるいはバンドがすべてのクライアントに割り当てられるように推奨ことができる。例えば、このアドバイスは、ユーザがネットワーク・ハードウェア要素３１００のためのワイヤレス・バンドを２．４ギガヘルツ（ＧＨｚ）または５ＧＨｚに設定することを勧める。一実施例では、一般に、５ＧＨｚまたはそれより高い周波数帯は、クライアントのいくつかあるいはすべてがより高い周波数帯、例えばゲーム、ビデオ・ストリーミングで動作している場合に使用される。同じ実施例において、２．４ＧＨｚの周波数帯あるいはそれより低い周波数帯は、一般に、より低い帯域幅のクライアントのために使用することができる。このアドバイスは、さらに、ネットワーク・ハードウェア要素３１００がそのようなノイズおよび/または干渉のためにスキャンした後に潜在的なノイズおよび/または干渉を低減するための手法を推奨する。例えば、要素３１００は、より少ないノイズおよび干渉を有する別のワイヤレス・チャンネルあるいはバンドへ切り替えることを推薦する。
【００６５】
同じかあるいは異なる実施例では、追加のネットワーク・アドバイスは、アプリケーションまたはクライアントによるサービス品質、１またはそれ以上の技術サポートの電話番号、トラブルシューティングのウィザード、および/または、マイクロソフト・サイドショウ（SideShow）のサポートを設定することを含む。例として、サービス品質に関してアドバイスする場合、ネットワーク・ハードウェア要素３１００は、選択肢を提供するか、あるいはそうでなければ、管理者クライアントが常に最優先権を有しているように勧める。さらに、ネットワーク・ハードウェア要素３１００は、新しいファームウェアを使用するモデム１５００を通してインターネット１６００から、および/または、実際にラリー・シンプル連合(「ＲＳＳ」：Rally Simple Syndication)ラジオあるいはインターネット入力から最新の技術サポートの電話番号を自動的に受け取ることができる。
【００６６】
更に、同じかあるいは異なる実施例では、追加のネットワーク・アドバイスは、クライアントがログオンする前に、そうでなければネットワーク・ハードウェア要素３１００を使用する前に、セキュリティの質問、技術、あるいは、セキュリティ・コード、キーあるいは他のパスワードを示すディスプレイ３１１０を有する、あるいはクライアント(つまり、ワイヤレス・コンピュータ１２００)のユーザ・インターフェース上にセキュリティ・コード、キー、あるいは他のパスワードを入力することをユーザに求めるメカニズム、を含む。例として、このアドバイスは、ウインドウズ・ラリー接続セットアップ用の「ＰＩＮ」、ハードまたはソフトなワイヤレス・プロビジョニング・サービス（ＷＰＳ：Wireless Provisioning Service）のプッシュボタン用の命令、および/または、ウインドウズ・コネクトナウ・サム・ドライブ（Windows(登録商標） ConnectNow thumb drive）方法の取り扱いを含む。ネットワーク・ハードウェア要素３１００は、異なる目的あるいはクライアントに対して異なるパスワードを供給することができる。
【００６７】
ネットワーク・セットアップ・アドバイス、ネットワーク・トラブルシューティング・アドバイスおよび追加のネットワーク・アドバイスの各々は、ネットワーク診断メカニズム２１４０からの情報あるいは他の出力がきっかけとなる。さらに、ネットワーク・セットアップ・アドバイス、ネットワーク・トラブルシューティング・アドバイスおよび追加のネットワーク・アドバイスの各々は、ネットワーク・ハードウェア要素３１１０にワイヤレスで供給され、および/または、ネットワーク・ハードウェア要素３１００内のメモリ・デバイス中に格納される。
【００６８】
同じかあるいは異なる実施例では、ディスプレイ３１１０は、例えば、現在の時刻、現在の日付、カレンダー、天気予報、１またはそれ以上のニュース・レポート、１またはそれ以上の株式相場、および/または、１またはそれ以上のスポーツ・スコアのような追加情報をさらに示すこともできる。例として、ディスプレイ３１１０は、デジタル時計、および/または、アナログ時計として時間を示すことができる。加えて、日付は、カレンダー・フォーマット、および/または、異なるフォーマットで示すこともできる。更に、天気予報は、当日、および/または、次の数日間の場合もあり得る。
【００６９】
追加情報は、さらに電子メールチッカ（email ticker）およびインスタント・メッセージ(「ＩＭ」)チッカの１またはそれ以上を含むことができる。例として、ディスプレイ３１１０は、ネットワークにログオンしているユーザに新しい電子メールかＩＭが入っていることを示すアイコンを点滅あるいは表示することができる。選択的に、ディスプレイ３１１０は、例えば送信者の識別および/または電子メールの主題ラインのような新しい電子メールあるいはＩＭに関するいくつかの基本的な情報をさらに表示することができる。これを受けて、ユーザは、例えばコンピュータのようなコンピュータ・ネットワーク要素１０１０の1つで電子メールかインスタント・メッセージをチェックすることができる。
【００７０】
更に、追加情報は、利用可能な格納スペース、使用された格納スペース、および/または、ネットワーク・ハードウェア要素３１００に直接結合されたメモリ・デバイス上の格納スペースの合計を含めることができる。例として、メモリ・デバイスは、ネットワーク・ハードウェア要素３１００中のＵＳＢポートに差し込まれるフラッシュ・ドライブあるいは外部ユニバーサル・シリアル・バス(「ＵＳＢ」)ハードディスク・ドライブ(「ＨＤＤ」)である。この実施例では、ネットワーク・ハードウェア要素３１００は、サーバであってもよく。その結果、コンピュータまたはクライアントは、ネットワーク・ハードウェア要素３１００が以前に示した追加情報またはアドバイスを提供するためにネットワーク・ハードウェア要素３１００にログインする必要がない。加えて、この実施例では、ネットワーク・ハードウェア要素３１００にログインした最初のクライアントがデータおよび他のファイルをネットワーク・ハードウェア要素３１００のメモリに保存することができ、その結果他のクライアントは、最初のクライアントがネットワーク・ハードウェア要素３１００からログオフした後に、データおよび他のファイルにアクセスすることができる。
【００７１】
追加情報は、現在再生している歌、以前再生された歌、および／または、インターネット無線チャネル上で再生されるべきかどうかに関する情報とともにインターネット無線チャネルを含む。歌に関する情報は、歌のタイトル、アルバム、アルバム上のトラック番号、アーティスト、合計時間、時間残量、および/または、経過時間を含めることができる。この実施例では、ネットワーク・ハードウェア要素３１００は、歌を再生するためのインターネット・ラジオおよびスピーカを含むことができる。スピーカは、要素３１００に組み込まれていてもよく、ワイヤレス・スピーカであってもよい。ディスプレイ３１１０は、さらにユーザがインターネット無線チャネルを選択することを可能にする。
【００７２】
追加情報は、ネットワーク・セットアップ・アドバイス、ネットワーク・トラブルシューティング・アドバイス、追加のネットワーク・アドバイス、あるいはネットワーク情報を含まず、また追加情報は、ネットワーク診断メカニズム２１４０の出力と分離した情報に基づく。加えて、一実施例では、ＲＳＳ入力は、追加の情報をネットワーク・ハードウェア要素３１００に提供し、別の実施例では、１またはそれ以上のコンピュータ・ネットワーク要素１０１０(ＲＳＳ入力を備えた、あるいは備えない)が追加の情報をネットワーク・ハードウェア要素３１００に提供することができる。ディスプレイ３１１０は、追加情報を１またはそれ以上の終始あるいは周期的に流れるバナー情報として静的にあるいは動的に示すことができる。ディスプレイ３１１０が２またはそれ以上の流れるバナーとして情報を示す場合、バナーのいくつかあるいはすべては同じかあるいは異なる速度で流すことができる。ディスプレイ３１１０が情報を静的に示す場合、ネットワーク・ハードウェア要素３１００のユーザは、ディスプレイ３１１０上の情報をスクロールするためのユーザ・インターフェース３１３０を使用することができる。あるいは、ユーザは、タッチ・スクリーンであるディスプレイ３１１０上のスクロール・バーを使用することができる。同じかあるいは異なる実施例では、ディスプレイ３１１０は、追加情報をネットワーク情報セット２１１３、および/または、アドバイス３１１４，３１１５，３１１６，３１１７と同時に表示することができ、あるいは、ディスプレイ３１１０は、ディスプレイ３１１０がネットワーク情報セット２１１３、アドバイス３１１４，３１１５，３１１６，３１１７を示さない場合に限り、追加情報を表示することができる。
【００７３】
図４は、図２および図３からのネットワーク・ハードウェア要素１１００，３１００のディスプレイ２１１０を示す。図４に示されるように、ディスプレイ２１１０は、ネットワーク・レイアウト・マップ２１１１を含み、それはコンピュータ・ネットワーク１０００上のコンピュータ・ネットワーク要素１０１０の表示２１１２、およびコンピュータ・ネットワーク要素１０１０の接続ステータスを含む。
【００７４】
ディスプレイ２１１０内のネットワーク・レイアウト・マップ２１１１は、１組のコンピュータ・ネットワーク要素表示２１１２を示し、それはインターネット接続表示４１１２１、モデム表示４１１２２、ネットワーク・ハードウェア要素表示４１１２３、有線接続のコンピュータ表示４１１２４、およびワイヤレス・コンピュータ表示４１１２５と共に、コンピュータ・ネットワーク要素１０１０間の相互接続の表示を含めることができる。
【００７５】
同じかまたは異なる実施例では、表示２１１２の第１の表示は、複数のコンピュータ・ネットワーク要素１０１０の１つのタイプを表わす。例えば、有線接続されたコンピュータ表示４１１２４は、ネットワーク・ハードウェア要素１１００を介して有線またはケーブルによって機械的に接続された１組の１またはそれ以上のコンピュータを表わすことができる。同様に、ワイヤレス・コンピュータ表示４１１２５は、ネットワーク・ハードウェア要素１１００を介してコンピュータ・ネットワーク１０００にワイヤレスに接続された１組の１またはそれ以上のコンピュータを表わすことができる。
【００７６】
同じかまたは異なる実施例では、表示２１１２は、それらが表わす複数のコンピュータ・ネットワーク要素１０１０の数量をさらに示すことができる。この数量指示は、例えば特定の表示２１１２に対応するコンピュータ・ネットワーク要素カウンタ４１１２６を通して行うことができる。
【００７７】
同じかあるいは異なる実施例では、ディスプレイ２１１０は、ネットワーク・セキュリティ・インディケータ４１１３１のようなコンピュータ・ネットワーク１０００に関する情報を示すネットワーク情報セット２１１３、サービス・セット識別子４１１３２、ネットワーク速度４１１３３、およびネットワーク・セキュリティ規格４１１３４を含むことができる。ネットワーク・ハードウェア要素がワイヤレス・ルータである一実施例では、ネットワーク速度４１１３３は、最大の、実際の、および／または、過去のワイヤレス・ネットワーク速度である。ディスプレイ２１１０は、さらにワイヤレス・チャンネル、および/または、クライアント毎のワイヤレス・ネットワーク速度を示すことができる。異なる実施例では、ネットワーク・ハードウェア要素が有線接続のルータである場合、ネットワーク速度４１１３３は、最大の、実際の、および／または、過去における有線接続のネットワーク速度である。別の実施例では、ネットワーク速度４１１３３は、ワイヤレス・ネットワーク速度および有線接続のネットワーク速度の両方を含む。同じかあるいは異なる実施例では、ネットワーク速度４１１３３は、デジタル数字として、および/または、アナログ速度計として表示する。
【００７８】
ネットワーク情報セット２１１３は、例えばゲストのサービス・セット識別子のような他のネットワーク情報をさらに含むことができる。一実施例では、ゲストのサービス・セット識別子は、ネットワーク・ハードウェア要素に対する設定に、あるいはネットワークにログインしている他のコンピュータにアクセス権を持たないゲスト・ユーザ向けであり、また、サービス・セット識別子４１１３２は、ネットワークのすべての局面でアクセス権を有する管理者ユーザ向けである。別のネットワーク情報およびネットワーク情報セット２１１３の他の部分は、ネットワーク・セットアップ・アドバイス、ネットワーク・トラブルシューティング・アドバイス、あるいは追加のネットワーク・アドバイスを含まない。別のネットワーク情報およびネットワーク情報セット２１１３の他の部分は、ネットワーク診断のメカニズム２１４０からの情報あるいは他の出力に基づく。
【００７９】
別のネットワーク情報は、さらに無権限のユーザがネットワーク・ハードウェア要素の使用を試みるか、あるいはログオンを試みたことを示すアラームを含む。一実施例において、コンピュータ・ハッカーあるいは他の無権限者は、ネットワーク・ハードウェア要素にログオンしようとすることによりネットワーク・ハードウェア要素１１００、および/または、３１００を使用することを試みる。これらの状況下で、ディスプレイ２１１０は、ネットワーク・ハードウェア要素に無権限でログオンする試行の回数を示すカウンタを示すか表示することができる。無権限の試行回数は、各無権限ユーザに対する総数あるいは回数であってもよい。ディスプレイ３１１０は、さらにインターネット・プロトコル(「ＩＰ」)アドレス、あるいはコンピュータ・ハッカーあるいは無権限者の他の識別子を示すことができる。
【００８０】
ネットワーク情報セット２１１３は、さらに実際および/または最大のインターネット接続速度、ネットワークの利用時間、ネットワークのトラフィック・タイプ、ネットワークのトラヒック負荷、ネットワーク・ハードウェア要素および/またはそのネットワーク・ハードウェア要素に接続されたクライアントの１またはそれ以上のＩＰアドレス、ネットワーク・ハードウェア要素によって使用されているワイヤレス・チャネル、インターネット・ファイアウォールのオン/オフ・ステータス、および/または、ゲストのセキュリティ・キー、コード、または他のパスワードを含む。例として、ネットワークのトラフィック・タイプは、ビデオ、グラフィックス、写真、音声、および/または、データであり、また、ネットワークのトラフィック・タイプは、円グラフとして、時間に対する折れ線グラフとして、あるいは別のフォーマットで示すことができる。更に、ディスプレイ２１１０は、総数として、および/または、クライアント毎に、これらネットワーク情報の１またはそれ以上のタイプを示すことができる。別の例として、ゲストのセキュリティ・キーは、標準のセキュリティ・キーと異なっていてもよく、また、ゲスト・セキュリティ・キーを使用してネットワーク・ハードウェア要素にログインするゲスト・クライアントは、異なるユーザ特権のセットを有することができ、ネットワークの一部へのアクセスに制限される。さらに次の実施例として、ゲスト・セキュリティ・キーは、ゲスト・ユーザを十分なローカル・エリア・ネットワークのゲーム・アクセスに制限することができる。ネットワーク・ハードウェア要素は、ゲストおよび標準セキュリティ・キー、コードあるいは他のパスワードを同時に表示することができる。
【００８１】
図５は、ディスプレイ５１１０を示し、それは、図４中に示されたディスプレイ２２１０の異なる実施例である。ディスプレイ５１１０は、コンピュータ・ネットワーク要素１０１０の表示５１１２を含むネットワーク・レイアウト・マップ５１１１を含む。図５中のネットワーク・レイアウト・マップ５１１１および表示５１１２は、図２、図３および図４中のネットワーク・レイアウト・マップ２１１１および表示２１１２に類似する。しかしながら、図５の実施例では、複数のコンピュータ・ネットワーク要素１０１０の１つのタイプを表わすことができるのではなく、各々の表示５１１２は、コンピュータ・ネットワーク要素１０１０の個々の１つだけを表わすことができる。その結果、同じタイプのコンピュータ・ネットワーク要素１０１０に対してディスプレイ５１１０上では１またはそれ以上の表示５１１２が存在することがある。
【００８２】
例えば、コンピュータ表示１０００に結合された有線接続の２つのコンピュータ１３００（図１）および３つのワイヤレス・コンピュータ１２００（図１）がある場合、有線接続された２つのコンピュータ表示５１１２４および３つのワイヤレス・コンピュータ表示５１１２５がネットワーク・レイアウト・マップ５１１１に示される。
【００８３】
図６は、ネットワーク・ハードウェア要素上にネットワーク・レイアウト・マップを表示する方法６０００のフローチャートを図示する。
【００８４】
方法６０００のステップ６１００は、ネットワーク・ハードウェア要素中のトランシーバを経由してコンピュータ・ネットワーク要素をモニタすることを含む。ステップ６１００のモニタは、ネットワーク・ハードウェア要素に結合されているもの、あるいはコンピュータ・ネットワーク中に存在する別のものであるコンピュータ・ネットワーク要素からの通信信号に対して反復してスキャンすることにより実行される。
【００８５】
例として、ステップ６１００のネットワーク・ハードウェア要素は、図１と図２のネットワーク・ハードウェア要素１１００であり、または図３のネットワーク・ハードウェア要素３１００であり得る。同じかまたは異なる例において、これらの同じネットワーク・ハードウェア要素は、図２に記述されようなネットワーク診断メカニズム２１４０を通して、コンピュータ・ネットワーク要素１０１０（図１）のようなコンピュータ・ネットワーク要素に対してスキャンすることにより、コンピュータ・ネットワーク１０００（図１）のようなコンピュータ・ネットワークに対して図６中のステップ６１００を実行することができる。
【００８６】
図６に戻って、方法６０００のステップ６２００は、ネットワーク・ハードウェア要素に結合されたあらゆるコンピュータ・ネットワーク要素の接続ステータスを決定することを含む。このステップは、例えば、ネットワーク・ハードウェア要素中のトランシーバをモニタすることから、ステップ６１００で収集された情報を処理することにより実行することができる。同じかまたは異なる例において、接続ステータスの決定は、図２に記述されたようなネットワーク診断メカニズム２１４０のようなメカニズムによって実行される。同じかまたは異なる例において、方法６０００のステップ６１００および６２００は、単一のステップにおける一部であってもよい。
【００８７】
図６における方法６０００のステップ６３００は、コンピュータ・ネットワークに存在するコンピュータ・ネットワーク要素、およびコンピュータ・ネットワーク要素間の相互接続を示すことにより、ネットワーク・レイアウト・マップを表示することを含む。ネットワーク・レイアウト・マップは、ステップ６２００で収集されたコンピュータ・ネットワーク要素およびコンピュータ・ネットワーク要素の接続ステータスに関する情報に基づく。例として、ステップ６３００は、図２および図４のディスプレイ２１１０上のレイアウト・マップ２１１１に類似する、および／または、図５のディスプレイ５１１０上のネットワーク・レイアウト・マップに類似するネットワーク・レイアウト・マップをディスプレイ上に生成することができる。
【００８８】
図６における方法６０００のステップ６４００は、ステップ６３００のネットワーク・レイアウト・マップ上に表示されたコンピュータ・ネットワーク要素に対する接続ステータスを表示することを含む。例として、コンピュータ・ネットワーク要素の接続ステータスを、図２および図３に記述されるように、表示２１１２の任意の該当するものを点滅させまたは色を変更させることによって、またはディスプレイ２１１０を表示２１１２の任意の該当するものに指し示すことによって、示すことができる。同じかまたは異なる例において、方法６０００のステップ６３００および６４００は、単一のステップの一部であってもよく、または、それらのシーケンスが逆であってもよい。
【００８９】
同じかまたは異なる例において、方法６０００のステップ６５００は、ネットワーク情報のセットを表示することを含む。表示されるべき情報は、例えば、ネットワーク・ハードウェア要素中のトランシーバをモニタすることからステップ６１００で収集された情報を処理することにより決定することができる。例として、ネットワーク情報のセットは、図４のネットワーク情報セット２１１３によって表示されるように示される。同じかまたは異なる例において、方法６０００のステップ６３００，６４００，６５００は、単一のステップの一部であってもよく、または、それらのシーケンスが変更されてもよい。
【００９０】
同じかまたは異なる例において、方法６０００の判断ステップ６６００は、ネットワーク・ハードウェア要素がユーザにネットワーク・セットアップおよび／またはトラブルシューティング・アドバイスを与えるために、装備をされているかどうか判断することを含む。一実施例において、ネットワーク・セットアップおよび／またはトラブルシューティング・アドバイスは、図３のネットワーク・トラブルシューティング・アドバイス３１１４および／またはネットワーク・セットアップ・アドバイス３１１５のために記述されたものである。
ネットワーク・ハードウェア要素がネットワーク・セットアップおよび／またはトラブルシューティング・アドバイスを提供するために装備されていない場合、方法６０００は、経路「Ａ」に沿って進み、ステップ６１００から方法６０００を繰り返す。ネットワーク・ハードウェア要素がネットワーク・セットアップおよび／またはトラブルシューティング・アドバイスを提供するために装備されている場合、方法６０００は、経路「Ｂ」に沿って進み、図７に以下示されるように、方法７０００として方法６０００を継続する。
【００９１】
図７は、ネットワーク・ハードウェア要素に関するネットワーク・セットアップおよび／またはトラブルシューティング・アドバイスを表示する方法７０００のフローチャートを示す。一実施例において、ネットワーク・セットアップおよび／またはトラブルシューティング・アドバイスは、ネットワーク・セットアップ・アドバイス３１１５およびネットワーク・トラブルシューティング・アドバイス３１１４（図３）のような、セットアップ・アドバイスおよびトラブルシューティング・アドバイスの両方を包含することができる。異なる例において、ネットワーク・セットアップおよび／またはトラブルシューティング・アドバイスは、単にセットアップ・アドバイスを包含していてもよい。異なる例において、ネットワーク・セットアップおよび／またはトラブルシューティング・アドバイスは、単にトラブルシューティング・アドバイスを包含していてもよい。
【００９２】
方法７０００のステップ７１００は、ネットワーク・ハードウェア要素上で、ネットワーク・セットアップおよび／またはトラブルシューティング・アドバイスの表示が必要かどうかを判断することを含む。一実施例において、ステップ７１００は、図６の経路「Ｂ」から渡される。ネットワーク・セットアップおよび／またはトラブルシューティング・アドバイスが必要でない場合、その時、方法７０００は終了し、そのプロセスは、経路「Ａ」に沿って方法６０００（図６）のステップ６１００に移る。ネットワーク・セットアップおよび／またはトラブルシューティング・アドバイスが必要な場合、その時、方法７０００は、ステップ７２００から継続する。
【００９３】
例として、ステップ７１００でネットワーク・セットアップおよび／またはトラブルシューティング・アドバイスが必要であるかどうかの判断は、ネットワーク・ハードウェア要素３１００（図３）中のアドバイス選択メカニズム３１２０（図３）および／またはネットワーク診断メカニズム２１４０（図２および図３）のような、ネットワーク・ハードウェア要素中のアドバイス選択メカニズムおよび／またはネットワーク診断メカニズムによって行われる。一実施例において、アドバイス選択メカニズムは、コンピュータ・ネットワーク中のコンピュータ・ネットワーク要素の接続ステータスに関連づけられるように、図６のステップ６１００，６２００で収集された情報に基づいた適切なネットワーク・セットアップおよび／またはトラブルシューティング・アドバイスを選択することができる。同じかまたは異なる例において、アドバイス選択メカニズムは、図３のユーザ・インターフェース３１３０のために記述されたように、入力されたユーザ入力またはリクエストを解釈することに基づいて適切なネットワーク・セットアップおよび／またはトラブルシューティング・アドバイスを選択することができる。
【００９４】
ネットワーク・ハードウェア要素に関してステップ７１００で判断されるように、図７における方法７０００のステップ７２００は、ネットワーク・セットアップおよび／またはトラブルシューティング・アドバイスを表示することを含む。例として、ステップ７２００は、ネットワーク・セットアップ・アドバイス３１１５およびネットワーク・トラブルシューティング・アドバイス３１１４（図３）のためにディスプレイ３１１０のようにディスプレイを通じてネットワーク・ハードウェア要素上に実行することができる。
【００９５】
次に、図７における方法７０００のステップ７３００は、ステップ７２００で表示されるネットワーク・セットアップおよび／またはトラブルシューティング・アドバイスに対応するコンピュータ・ネットワーク要素のあらゆる表示をネットワーク・ハードウェア要素上の示すことを含む。例として、ステップ７３００は、対応する表示２１１２を点滅または色を変更させることによって、またはそうでなければディスプレイ３１１０を表示２１１２の対応するものに指し示させあるいは表示することによって、図３のために記述されたように実行することができる。異なる実施例では、方法７０００は、ステップ７２００からステップ７４００に直接進めるというように、ステップ７３００をスキップしてもよく、省略してもよい。
【００９６】
図７における方法７０００のステップ７４００は、表示されたネットワーク・セットアップおよび／またはトラブルシューティング・アドバイスに応答する入力を解釈することを含む。一実施例において、ユーザ・インターフェース３１３０（図３）のために記述されたように、入力は、ユーザによって入力することができる。同じかまたは異なる例において、入力は、ネットワーク診断メカニズム２１４０（図２および図３）について記述したように、コンピュータ・ネットワークをモニタするあらゆるメカニズムによって自動的に受け取られ、それはユーザ入力と称される。一実施例において、方法７０１０は、ステップ７０１０を含んでいない。
【００９７】
その後、方法７０００のステップ７５００は、ステップ７４００で受け取られた入力の解釈に基づいて、あるいはネットワーク診断メカニズムによって判断された新しい情報に基づいて、ネットワーク・セットアップおよび／またはトラブルシューティング・アドバイスのプロセスを終了するかどうかを判断することを含む。一実施例において、ネットワーク・セットアップおよび／またはトラブルシューティング・アドバイスのプロセスが終了したかどうかの判断は、ネットワーク・ハードウェア要素３１００（図３）またはネットワーク診断メカニズム２１４０（図２および図３）のアドバイス選択メカニズム３１２０のように、ネットワーク・ハードウェア要素中のアドバイス選択メカニズムを介して行われる。ネットワーク・セットアップおよび／またはトラブルシューティング・アドバイスプロセスが終了した場合、方法７０００は終了し、そのプロセスは、経路「Ａ」へ進み、ステップ６１００（図６）からスタートするサイクルで方法６０００（図６）を繰り返す。ネットワーク・セットアップおよび／またはトラブルシューティング・プロセスがまだ終了していない場合、その時、方法７０００は、ステップ７６００へ進む。
【００９８】
ステップ７６００は、追加のネットワーク・セットアップおよび／またはトラブルシューティング・アドバイスをネットワーク・ハードウェア要素上に表示することを含む。追加のネットワーク・セットアップおよび／またはトラブルシューティング・アドバイスは、ステップ７４００における翻訳に基づいて、以前に表示されたネットワーク・セットアップおよび／またはトラブルシューティング・アドバイスに応答した入力を選択する。例として、ステップ７６００は、追加のネットワーク・セットアップ・アドバイス３１１７および追加のネットワーク・トラブルシューティング・アドバイス３１１６（図３）の両方のために記述されたように、ネットワーク・ハードウェア要素３１００中におけるアドバイス選択メカニズム３１２０のようなアドバイス選択メカニズムによってネットワーク・ハードウェア要素上で実行することができる。
【００９９】
次に、図７における方法７０００のステップ７７００は、ステップ７６００で表示された追加のネットワーク・セットアップおよび／または追加のトラブルシューティング・アドバイスに対応するコンピュータ・ネットワーク要素のあらゆる表示をネットワーク・ハードウェア要素上に表示することを含む。例として、ステップ７７００は、対応する表示２１１２を点滅または色を変更させることによって、またはそうでなければディスプレイ３１１０を表示２１１２の対応するものに指し示させあるいは表示することによって、図３のために記述されたように実行することができる。異なる実施例では、方法７０００は、ステップ７７００をスキップしても、あるいは省略してもよい。別の実施例では、ステップ７４００，７５００，７６００，７７００は、単一のステップの一部であってもよい。
【０１００】
ステップ７７００の完了に際して、方法７０００は、ステップ７４００へ戻り、表示されたネットワーク・セットアップおよび／またはトラブルシューティング・アドバイスに応答する入力を解釈するために待機する。ステップ７４００−７７００は、ステップ７５００で判断されるように、ネットワーク・セットアップおよび／またはトラブルシューティング・アドバイスのプロセスが終了されるまで、繰り返す。ネットワーク・セットアップおよび／またはトラブルシューティング・アドバイスプロセスが終了すると、方法７０００は、ステップ７５００から経路「Ａ」に進み、ステップ６１００からスタートするサイクルの方法６０００を繰り返す。
【０１０１】
本発明は、特定の実施例に関して記述されたが、本発明の思想または範囲から逸脱することなく、当業者は、様々な変更が行なわれること理解するであろう。例えば、本発明は、ワイヤレス・ネットワークの状況に制限されることはなく、ワイヤレス・ネットワーク・ユーザ・インターフェースとして役立つ必要はないが、コンピュータ・システムまたは同様のシステムをモニタしまたは管理するあらゆる状況に有用性を見出すであろう。同様に、様々なスクリーン・ディスプレイの内容および配置は、図中に示された特定の実施例から大きく変化させることができ、またそれは本発明の範囲以内に入るであろう。従って、本発明の実施例の開示は、本発明の範囲の例示となるように意図され、制限することを意図するものではない。本発明の範囲は、添付された請求項によって要求される範囲にのみ制限されるものと意図される。例えば、当業者にとって、ここに議論された方法は、多種多様の実施例中で実行でき、これらの実施例は、前述の議論が、必ずしもあらゆる実施例の完全な記述を示すものでないことは明らかであろう。特定の例として、図７で、ステップ７３００は、ステップ７２００の前で行うこともできるであろう。従って、図面の詳細な説明および図面それ自身は、少なくとも本発明の１つの好適な実施例を示し、本発明の他の実施例を示すこともできる。
【０１０２】
特定のあらゆる請求項で定義された要素すべては、その特定の請求項で定義された本発明にとって必須である。従って、１またはそれ以上の定義された要素の置換は、訂正ではなく再構成を意味する。さらに、利点、他の利点および問題の解決策は、特定の実施例に関して記述された。しかしながら、利益、効果、または解決策を生じさせ、あるいはより有利に導く利点、効果、問題の解決策、およびあらゆる要素は、請求項のすべてに対して重大で、必要な、あるいは必須の特徴として解釈されるべきではない。
【０１０３】
さらに、ここに示された実施例と制限は、その実施例および／または制限が（１）明らかに請求項で定義されていない場合、および、（２）均等論の下で請求項中の明示的な要素および／または制限に対する潜在的な均等物である場合、公有の原則（doctrine of dedication）下で公有に属するものではない。
【図面の簡単な説明】
【０１０４】
【図１】本発明の実施例に従って、コンピュータ・ネットワークを図示する。
【図２】本発明の実施例に従って、図１のコンピュータ・ネットワークにおけるネットワーク・ハードウェア要素を図示する。
【図３】本発明の異なる実施例に従って、図２におけるネットワーク・ハードウェア要素の異なる実施例を図示する。
【図４】本発明の実施例に従って、図２および図３におけるネットワーク・ハードウェア要素のディスプレイを図示する。
【図５】本発明の異なる実施例に従って、図４のディスプレイの異なる実施例を図示する。
【図６】本発明の実施例に従って、ネットワーク・ハードウェア要素上にネットワーク・レイアウト・マップを表示する方法のフローチャートを図示する。
【図７】本発明の実施例に従って、ネットワーク・ハードウェア要素上にネットワーク・セットアップおよび／またはトラブルシューティング・アドバイスを表示する方法のフローチャートを図示する。
【符号の説明】
【０１０５】
１０００  コンピュータ・ネットワーク
１０１０  コンピュータ・ネットワーク要素
１１００，３１００  ハードウェア要素
１１２０  端子
１２００  ワイヤレス・コンピュータ
１３００  有線コンピュータ
１４００  プリンタ
１５００  モデム
１６００  インターネット
２１１０，３１１０，５１１０  ディスプレイ
２１１１，５１１１  ネットワーク・レイアウト・マップ
２１１２，５１１２  表示
２１３０  トランシーバ
２１４０  ネットワーク診断メカニズム
３１１４  ネットワーク・トラブルシューティング・アドバイス
３１１５  ネットワーク・セットアップ・アドバイス
３１２０  アドバイス選択メカニズム
【図１】
2008125053.tif 000003
【図２】
2008125053.tif 000004
【図３】
2008125053.tif 000005
【図４】
2008125053.tif 000006
【図５】
2008125053.tif 000007
【図６】
2008125053.tif 000008
【図７】
2008125053.tif 000009
【外国語明細書】
2008125053.tif 000010
2008125053.tif 000011
2008125053.tif 000012
2008125053.tif 000013
2008125053.tif 000014
2008125053.tif 000015
2008125053.tif 000016
2008125053.tif 000017
2008125053.tif 000018
2008125053.tif 000019
2008125053.tif 000020
2008125053.tif 000021
2008125053.tif 000022
2008125053.tif 000023
2008125053.tif 000024
2008125053.tif 000025
2008125053.tif 000026
2008125053.tif 000027
2008125053.tif 000028
2008125053.tif 000029
2008125053.tif 000030
2008125053.tif 000031
2008125053.tif 000032
2008125053.tif 000033
2008125053.tif 000034
2008125053.tif 000035
2008125053.tif 000036
2008125053.tif 000037
2008125053.tif 000038
2008125053.tif 000039
2008125053.tif 000040
2008125053.tif 000041
2008125053.tif 000042
2008125053.tif 000043
2008125053.tif 000044
2008125053.tif 000045
2008125053.tif 000046
2008125053.tif 000047
2008125053.tif 000048
2008125053.tif 000049
2008125053.tif 000050
2008125053.tif 000051
2008125053.tif 000052
2008125053.tif 000053
2008125053.tif 000054
2008125053.tif 000055
2008125053.tif 000056
2008125053.tif 000057
2008125053.tif 000058
2008125053.tif 000059
2008125053.tif 000060
2008125053.tif 000061